(57)【要約】【課題】見守り者が見守り対象者を離れた距離から見守っている場合における迷子の誤判定を防ぐことを目的とする。【解決手段】迷子検出装置３が、撮像装置２から人物を含む撮像画像を取得し、撮像画像から、行動を見守る対象である見守り対象者と該見守り対象者の行動を見守る人物である見守り者とを検出するとともに、見守り者と見守り対象者との間の距離を検出し、撮像画像に含まれる人物の顔の画像に基づき、見守り者の視界範囲を算出し、距離が予め定められた閾値以上と判定され、かつ、見守り対象者が見守り者の視界範囲から外れていると判定された場合に、前記見守り対象者が迷子であると判定する。【選択図】図３
2018151834.tif 000002
【特許請求の範囲】
【請求項１】
プロセッサと、
撮像装置と通信を実行する通信部とを備え、
前記プロセッサは、
前記撮像装置から人物を含む撮像画像を取得し、
前記撮像画像から、行動を見守る対象である見守り対象者と該見守り対象者の行動を見守る人物である見守り者とを検出するとともに、前記見守り者と前記見守り対象者との間の距離を検出し、
前記撮像画像に含まれる人物の顔の画像に基づき、前記見守り者の視界範囲を算出し、
前記距離が予め定められた閾値以上と判定され、かつ、前記見守り対象者が前記見守り者の視界範囲から外れていると判定された場合に、前記見守り対象者が迷子であると判定することを特徴とする迷子検出装置。
【請求項２】
前記視界範囲は、前記見守り者の顔の向きに基づき算出されることを特徴とする請求項１に記載の迷子検出装置。
【請求項３】
前記視界範囲は、前記見守り者の前記顔の向きに基づき設定される予め定められた角度の範囲であることを特徴とする請求項２に記載の迷子検出装置。
【請求項４】
前記プロセッサは、
前記撮像画像から障害物を検出し、
前記距離が予め定められた閾値以上と判定され、かつ、前記見守り者と前記見守り対象者との間に前記障害物が存在する場合において、前記見守り対象者が前記視界範囲内に存在していても、前記見守り対象者が迷子であると判定することを特徴とする請求項１ないし請求項３のいずれかに記載の迷子検出装置。
【請求項５】
前記プロセッサは、
前記撮像画像から、前記見守り者と異なる人物を検出し、
前記距離が予め定められた閾値以上と判定され、かつ、前記見守り者と前記見守り者と異なる人物とが対向している場合において、前記見守り対象者が前記視界範囲内に存在していても、前記見守り対象者が迷子であると判定することを特徴とする請求項１ないし請求項４のいずれかに記載の迷子検出装置。
【請求項６】
前記プロセッサは、
前記撮像画像に含まれる人物の年層を推定し、
推定された年層に基づき、年層の高い人物を見守り者と判定し、年層の低い人物を見守り対象者であると判定することを特徴とする請求項１ないし請求項５のいずれかに記載の迷子検出装置。
【請求項７】
前記プロセッサは、
前記撮像画像から前記人物の輪郭を抽出し、抽出された輪郭に基づき前記年層を推定することを特徴とする請求項６に記載の迷子検出装置。
【請求項８】
迷子が検出されたことを報知するアラームを発報するアラーム発報部をさらに備え、
前記プロセッサは、
前記見守り対象者が迷子であると判定された場合には、前記アラーム発報部により前記アラームを発報することを特徴とする請求項１ないし請求項７のいずれかに記載の迷子検出装置。
【請求項９】
撮像装置から人物の撮像画像を取得するステップと、
前記撮像画像から、行動を見守る対象である見守り対象者と該見守り対象者の行動を見守る人物である見守り者とを検出するとともに、前記見守り者と前記見守り対象者との間の距離を検出するステップと、
前記撮像画像に含まれる人物の顔の画像に基づき、前記見守り者の視界範囲を算出するステップと、
前記距離が予め定められた閾値以上と判定され、かつ、前記見守り対象者が前記見守り者の視界範囲から外れていると判定された場合に、前記見守り対象者が迷子であると判定するステップとを有することを特徴とする迷子検出方法。
【請求項１０】
前記視界範囲は、前記見守り者の顔の向きに基づき算出されることを特徴とする請求項９に記載の迷子検出方法。
【請求項１１】
前記視界範囲は、前記見守り者の前記顔の向きに基づき設定される予め定められた角度の範囲であることを特徴とする請求項１０に記載の迷子検出方法。
【請求項１２】
前記撮像画像から障害物を検出するステップと、
前記距離が予め定められた閾値以上と判定され、かつ、前記見守り者と前記見守り対象者との間に前記障害物が存在する場合において、前記見守り対象者が前記視界範囲内に存在していても、前記見守り対象者が迷子であると判定するステップとをさらに有することを特徴とする請求項９ないし請求項１１のいずれかに記載の迷子検出方法。
【請求項１３】
前記撮像画像から、前記見守り者と異なる人物を検出するステップと、
前記距離が予め定められた閾値以上と判定され、かつ、前記見守り者と前記見守り者と異なる人物とが対向している場合において、前記見守り対象者が前記視界範囲内に存在していても、前記見守り対象者が迷子であると判定するステップとをさらに有することを特徴とする請求項９ないし請求項１２のいずれかに記載の迷子検出方法。
【請求項１４】
前記撮像画像に含まれる人物の年層を推定するステップと、
推定された年層に基づき、年層の高い人物を見守り者と判定し、年層の低い人物を見守り対象者であると判定するステップとをさらに有することを特徴とする請求項９ないし請求項１３のいずれかに記載の迷子検出方法。
【請求項１５】
前記年層は、前記撮像画像から抽出した前記人物の輪郭に基づき推定することを特徴とする請求項１４に記載の迷子検出方法。
【請求項１６】
前記見守り対象者が迷子であると判定された場合に、迷子が検出されたことを報知するアラームを発報するステップをさらに有することを特徴とする請求項９ないし請求項１５のいずれかに記載の迷子検出方法。
【発明の詳細な説明】
【技術分野】
【０００１】
本開示は、撮像装置で撮像した撮像画像に基づき迷子を検出する迷子検出装置および迷子検出方法に関する。
【背景技術】
【０００２】
近年、例えばショッピングモールやテーマパーク等の商業施設において、監視カメラで人物を撮像した撮像画像に基づき、迷子を検出することが行われている。そのような技術として、撮像画像から第１利用者（見守り者）と第２利用者（見守り対象）を検出するとともに、第１利用者と第２利用者の現在位置を取得し、第１利用者の現在位置と第２利用者の現在位置とが互いに離れた状態が一定時間経過すると第２利用者が迷子であると判定する技術が知られている（特許文献１参照）。
【先行技術文献】
【特許文献】
【０００３】
【特許文献１】特開２００７−６０５２８号公報
【発明の概要】
【発明が解決しようとする課題】
【０００４】
しかしながら、上記特許文献１の従来技術では、行動を見守る対象である見守り対象者（例えば子供）と見守り対象者の行動を見守る見守り者（例えば親）との間の距離に基づき迷子を判定しているため、見守り者が見守り対象者を離れた距離から見守っている場合に、見守り対象者が迷子であると誤判定されるという問題があった。
【０００５】
本開示は、このような従来技術の課題を鑑みて案出されたものであり、見守り者が見守り対象者を離れた距離から見守っている場合における迷子の誤判定を防ぐことを可能とする迷子検出装置および迷子検出方法を提供することを主目的とする。
【課題を解決するための手段】
【０００６】
本開示の迷子検出装置は、プロセッサと、撮像装置と通信を実行する通信部とを備え、前記プロセッサは、前記撮像装置から人物を含む撮像画像を取得し、前記撮像画像から、行動を見守る対象である見守り対象者と該見守り対象者の行動を見守る人物である見守り者とを検出するとともに、前記見守り者と前記見守り対象者との間の距離を検出し、前記撮像画像に含まれる人物の顔の画像に基づき、前記見守り者の視界範囲を算出し、前記距離が予め定められた閾値以上と判定され、かつ、前記見守り対象者が前記見守り者の視界範囲から外れていると判定された場合に、前記見守り対象者が迷子であると判定することを特徴とする。
【発明の効果】
【０００７】
本開示によれば、見守り者が見守り対象者を離れた距離から見守っている場合における迷子の誤判定を防ぐことが可能となる。
【図面の簡単な説明】
【０００８】
【図１】本開示に係る迷子検出装置を含む迷子検出システムの概要を示す構成図
【図２】迷子検出装置の概略構成を示すブロック図
【図３】迷子検出処理の流れを示すフロー図
【図４】親子検出処理の一例を示す図
【図５】親子間の距離の判定処理の一例を示す図
【図６】親の顔の向きの判定処理の一例を示す図
【図７】親の顔の向きの判定処理の別の例を示す図
【発明を実施するための形態】
【０００９】
上記課題を解決するためになされた第１の発明は、プロセッサと、撮像装置と通信を実行する通信部とを備え、前記プロセッサは、前記撮像装置から人物を含む撮像画像を取得し、前記撮像画像から、行動を見守る対象である見守り対象者と該見守り対象者の行動を見守る人物である見守り者とを検出するとともに、前記見守り者と前記見守り対象者との間の距離を検出し、前記撮像画像に含まれる人物の顔の画像に基づき、前記見守り者の視界範囲を算出し、前記距離が予め定められた閾値以上と判定され、かつ、前記見守り対象者が前記見守り者の視界範囲から外れていると判定された場合に、前記見守り対象者が迷子であると判定することを特徴とする迷子検出装置である。
【００１０】
この第１の発明に係る迷子検出装置によれば、見守り対象者が見守り者から離れている場合において、見守り者の視界範囲に基づき見守り対象者が迷子であるか否かを判定するので、見守り対象者を離れた距離から見守っている場合における迷子の誤判定を防ぐことが可能となる。
【００１１】
また、第２の発明は、上記第１の発明において、前記視界範囲は、前記見守り者の顔の向きに基づき算出されることを特徴とする。
【００１２】
この第２の発明に係る迷子検出装置によれば、撮像画像の解像度の不足等により見守り者の目を認識できなくとも、見守り者の顔の向きが見守り対象者が見守り者の視界範囲から外れているか否かの判定を容易に行うことが可能となる。
【００１３】
また、第３の発明は、上記第２の発明において、前記視界範囲は、前記見守り者の前記顔の向きに基づき設定される予め定められた角度の範囲であることを特徴とする。
【００１４】
この第３の発明に係る迷子検出装置によれば、視界範囲の算出を容易に行うことができる。
【００１５】
また、第４の発明は、上記第１の発明ないし第３の発明のいずれかにおいて、前記プロセッサは、前記撮像画像から障害物を検出し、前記距離が予め定められた閾値以上と判定され、かつ、前記見守り者と前記見守り対象者との間に前記障害物が存在する場合において、前記見守り対象者が前記視界範囲内に存在していても、前記見守り対象者が迷子であると判定することを特徴とする。
【００１６】
この第４の発明に係る迷子検出装置によれば、見守り者から直接的に視認しにくい場所に見守り対象者がいる場合でも、見守り対象者が迷子であるか否かを適切に判定できる。
【００１７】
また、第５の発明は、上記第１の発明ないし第４の発明のいずれかにおいて、前記プロセッサは、前記撮像画像から、前記見守り者と異なる人物を検出し、前記距離が予め定められた閾値以上と判定され、かつ、前記見守り者と前記見守り者と異なる人物とが対向している場合において、前記見守り対象者が前記視界範囲内に存在していても、前記見守り対象者が迷子であると判定することを特徴とする。
【００１８】
この第５の発明に係る迷子検出装置によれば、例えば、見守り者が他の人物と会話を行っているなどの事情により、見守り者の注意が見守り対象者から逸れている場合でも、見守り対象者が迷子であるか否かを適切に判定できる。
【００１９】
また、第６の発明は、上記第１の発明ないし第５の発明のいずれかにおいて、前記プロセッサは、前記撮像画像に含まれる人物の年層を推定し、推定された年層に基づき、年層の高い人物を見守り者と判定し、年層の低い人物を見守り対象者であると判定することを特徴とする。
【００２０】
この第６の発明に係る迷子検出装置によれば、例えば親子連れのような、見守り者と見守り対象者の年層に差がある状況で検出することが可能となる。
【００２１】
また、第７の発明は、上記第６の発明において、前記プロセッサは、前記撮像画像から前記人物の輪郭を抽出し、抽出された輪郭に基づき前記年層を推定することを特徴とする。
【００２２】
この第７の発明に係る迷子検出装置によれば、撮像画像から年層を容易に検出することが可能となる。
【００２３】
また、第８の発明は、上記第１の発明ないし第７の発明のいずれかにおいて、迷子が検出されたことを報知するアラームを発報するアラーム発報部をさらに備え、前記プロセッサは、前記見守り対象者が迷子であると判定された場合には、前記アラーム発報部により前記アラームを発報することを特徴とする。
【００２４】
この第８の発明に係る迷子検出装置によれば、見守り対象者が迷子であると判定された場合に、迷子が検出されたことを報知するアラームを発報することが可能となる。
【００２５】
また、第９の発明は、撮像装置から人物の撮像画像を取得するステップと、前記撮像画像から、行動を見守る対象である見守り対象者と該見守り対象者の行動を見守る人物である見守り者とを検出するとともに、前記見守り者と前記見守り対象者との間の距離を検出するステップと、前記撮像画像に含まれる人物の顔の画像に基づき、前記見守り者の視界範囲を算出するステップと、前記距離が予め定められた閾値以上と判定され、かつ、前記見守り対象者が前記見守り者の視界範囲から外れていると判定された場合に、前記見守り対象者が迷子であると判定するステップとを有することを特徴とする迷子検出方法である。
【００２６】
この第９の発明に係る迷子検出方法によれば、見守り対象者が見守り者から離れている場合において、見守り者の視界範囲に基づき見守り対象者が迷子であるか否かを判定するので、見守り対象者を離れた距離から見守っている場合における迷子の誤判定を防ぐことが可能となる。
【００２７】
また、第１０の発明は、上記第９の発明において、前記視界範囲は、前記見守り者の顔の向きに基づき算出されることを特徴とする。
【００２８】
この第１０の発明に係る迷子検出方法によれば、撮像画像の解像度の不足等により見守り者の目を認識できなくとも、見守り者の顔の向きが見守り対象者が見守り者の視界範囲から外れているか否かの判定を容易に行うことが可能となる。
【００２９】
また、第１１の発明は、上記第１０の発明において、前記視界範囲は、前記見守り者の前記顔の向きに基づき設定される予め定められた角度の範囲であることを特徴とする。
【００３０】
この第１１の発明に係る迷子検出方法によれば、視界範囲の算出を容易に行うことができる。
【００３１】
また、第１２の発明は、上記第９の発明ないし第１１の発明のいずれかにおいて、前記撮像画像から障害物を検知するステップと、前記距離が予め定められた閾値以上と判定され、かつ、前記見守り者と前記見守り対象者との間に前記障害物が存在する場合、前記見守り対象者が前記視界範囲内に存在していても、前記見守り対象者が迷子であると判定するステップとをさらに有することを特徴とする。
【００３２】
この第１２の発明に係る迷子検出方法によれば、見守り者から直接的に視認しにくい場所に見守り対象者がいる場合にも、見守り対象者が迷子であるか否かを適切に判定できる。
【００３３】
また、第１３の発明は、上記第９の発明ないし第１２の発明のいずれかにおいて、前記撮像画像から、前記見守り者と異なる人物を検知するステップと、前記距離が予め定められた閾値以上と判定され、かつ、前記見守り者と前記見守り者と異なる人物とが対向している場合、前記見守り対象者が前記視界範囲内に存在していても、前記見守り対象者が迷子であると判定するステップとをさらに有することを特徴とする。
【００３４】
この第１３の発明に係る迷子検出方法によれば、例えば、見守り者が他の人物と会話を行っているなどの事情により、見守り者の注意が見守り対象者から逸れている場合にも、見守り対象者が迷子であるか否かを適切に判定できる。
【００３５】
また、第１４の発明は、上記第９の発明ないし第１３の発明のいずれかにおいて、前記撮像画像に含まれる人物の年層を推定するステップと、推定された年層に基づき、年層の高い人物を見守り者と判定し、年層の低い人物を見守り対象者であると判定するステップとをさらに有することを特徴とする。
【００３６】
この第１４の発明に係る迷子検出方法によれば、例えば親子連れのような、見守り者と見守り対象者の年層に差がある状況で検出することが可能となる。
【００３７】
また、第１５の発明は、上記第１４の発明において、前記年層は、前記撮像画像から抽出した前記人物の輪郭に基づき推定されることを特徴とする。
【００３８】
この第１５の発明に係る迷子検出方法によれば、撮像画像から年層を容易に検出することが可能となる。
【００３９】
また、第１６の発明は、上記第９の発明ないし第１５の発明のいずれかにおいて、前記見守り対象者が迷子であると判定された場合に、迷子が検出されたことを報知するアラームを発報するステップをさらに有することを特徴とする。
【００４０】
この第１６の発明に係る迷子検出方法によれば、見守り対象者が迷子であると判定された場合に、迷子が検出されたことを報知するアラームを発報することが可能となる。
【００４１】
以下、本開示の実施形態について、図面を参照しながら説明する。本実施形態では、例えばショッピングモールやテーマパーク等の商業施設において、撮像装置で撮像した撮像画像に基づき迷子を検出する場合について説明する。本実施形態では、見守り者は親であり、見守り対象者は子供であるとする。
【００４２】
図１は、本開示に係る迷子検出装置３を含む迷子検出システム１の概要を示す構成図である。図１に示すように、この迷子検出システム１は、撮像装置２と、迷子検出装置３とを主として備えている。撮像装置２と迷子検出装置３とは、専用回線やＬＡＮ（Local Area Network）等のネットワーク４を介して互いに接続されている。
【００４３】
撮像装置２は、公知の撮影機能や通信機能を有する監視カメラ（ビデオカメラ）であり、商業施設の各所の壁、天井、ポール等に設置され、予め定められた監視領域を静止画像または動画像として時系列に撮像する。撮像装置２の撮像により生成された撮像画像（静止画像または動画像）は、ネットワーク４を介して迷子検出装置３に適宜送信される。なお、撮像装置２は、予め定められた監視領域を撮像可能な限りにおいて、その形態、機能、配置、数量等については、特に限定されるものではなく種々の変更が可能である。
【００４４】
迷子検出装置３は、公知の構成を有するコンピュータからなり、撮像装置２から取得した撮像画像を解析して迷子を検出する。そして、迷子が検出された場合には、迷子が検出されたこと報せるアラートを発報する。
【００４５】
図２は、迷子検出装置３の概略構成を示すブロック図である。迷子検出装置３は、公知のハードウェア構成を備えており、所定の制御プログラム（例えば迷子検出プログラム）に基づき迷子検出の各処理を統括的に実行するプロセッサ１１、このプロセッサ１１のワークエリア等として機能する揮発性メモリであるＲＡＭ１２、プロセッサ１１が実行する制御プログラムやデータを格納する不揮発性メモリであるＲＯＭ１３、ＨＤＤやフラッシュメモリ等からなる記憶部１４、液晶モニタ等からなる表示部１５、キーボードおよびマウス等の入力デバイスからなる入力部１６、ネットワーク４を介した通信を実行する通信部１７等を有している。
【００４６】
迷子検出装置３の各機能は、図２に示したハードウェア構成において、プロセッサ１１が所定の制御プログラムを実行することによって実現可能である。なお、迷子検出装置３は、コンピュータに限らず、同様の機能を果たすことが可能な他の情報処理装置（例えばサーバ等）を用いることもできる。また、迷子検出装置３の機能の少なくとも一部を他の公知のハードウェアによる処理によって代替してもよい。
【００４７】
図３は、迷子検出装置３における迷子検出処理の流れを示すフロー図である。以下の処理は、迷子検出装置３のプロセッサ１１で行われ、撮像装置２から撮像画像を取得したときに開始される。
【００４８】
まず、撮像画像から人物を検出する（ステップＳＴ１０１）。人物の検出は、統計的または非統計的識別器を用いる手法やテンプレートマッチングを用いる手法等の公知の手法を用いて行う。
【００４９】
続いて、ステップＳＴ１０１で検出された人物の人物属性を推定する（ステップＳＴ１０２）。本実施形態では、人物属性として年層を推定する。これにより、ステップＳＴ１０１で検出された人物が大人であるかそれとも子供であるかを判断することができる。人物属性の推定方法について詳しく説明すると、まず、撮像画像から人物の輪郭（シルエット）または輪郭の一部を抽出する。そして、抽出された輪郭または輪郭の一部に基づき、予め用意した統計的または非統計的識別器を用いて、その人物の年層を推定する。なお、人物の輪郭の抽出は、エッジ特徴量を用いる手法等の公知の手法を用いて行う。例えば、輪郭からその人物の身長や体形を検出し、検出された身長や体形に基づき、その人物の年層（すなわち、その人物が大人であるかそれとも子供であるか）を判断することができる。
【００５０】
次に、ステップＳＴ１０１で検出された人物を追跡する（ステップＳＴ１０３）。具体的には、ステップＳＴ１０１で検出された人物に対して固有の識別子（ＩＤ）を付与し、識別子（ＩＤ）が付与された人物毎に、予め定められた所定数のフレームにわたって追跡を行う。
【００５１】
続くステップＳＴ１０４では、迷子の検出対象である親子を検出する。具体的には、ステップＳＴ１０３での人物追跡の結果に基づき、予め定められた所定数のフレームにわたって一緒に写っており、かつ、各フレームにおいて互いの距離が予め定められた閾値以下である２人の人物を検出する。そして、そのような２人の人物が検出され、かつ、その２人の人物の一方が大人であり他方が子供である場合は、その２人の人物が親子であると判定される。２人の人物のそれぞれが大人であるかそれとも子供であるかは、ステップＳＴ１０２での人物属性（年層）の推定結果に基づき判断する。
【００５２】
図４は、ステップＳＴ１０４での親子検出処理の一例を示す図である。図４の例では、フレームＡ・・・フレームＢ・・・フレームＣの時系列に連続する所定数のフレームにわたって、第１の人物２１と第２の人物２２が一緒に写っている。また、第１の人物２１と第２の人物２２との間の距離Ｄは、フレームＡ、フレームＢ、およびフレームＣの各フレームにおいて予め定められた閾値Ｄｔｈ１よりも小さい。そして、ステップＳＴ１０２での人物属性推定処理により、第１の人物２１は大人と判定され、第２の人物２２は子供と判定されているものとする。このような場合、第１の人物２１と第２の人物２２は親子であると判定される。このようにして、迷子の検出対象である親子を検出することができる。
【００５３】
続くステップＳＴ１０５では、ステップＳＴ１０４で検出された親子をその後のフレームにおいて追跡するとともに、予め定められた所定のフレーム数毎に、親子間の距離が予め定められた閾値以上であるか否かを判定する。具体的には、親２１と子供２２の間の距離Ｄを検出し、検出された距離Ｄが予め定められた閾値Ｄｔｈ２以上であるか否かを判定する。これにより、子供２２が親２１から離れているか否かを判断することができる。子供２２が親２１から離れている場合は、子供２２が迷子の可能性がある。検出された距離Ｄが閾値Ｄｔｈ２以上であると判定された場合（ステップＳＴ１０５：Ｙｅｓ）は、ステップＳＴ１０６に進み、検出された距離Ｄが閾値Ｄｔｈ２以上ではないと判定された場合（ステップＳＴ１０５：Ｎｏ）は、処理を終了する。
【００５４】
図５は、ステップＳＴ１０５での親子間の距離Ｄの判定処理の一例を示す図である。図５（ａ）では、親２１と子供２２との間の距離Ｄが予め定められた閾値Ｄｔｈ２以上であるので、子供２２が親２１から離れている、すなわち子供２２が迷子の可能性があると判定される。図５（ｂ）では、親２１と子供２２との間の距離Ｄが予め定められた閾値Ｄｔｈ２未満であるので、子供２２が親２１から離れていない、すなわち、子供２２が迷子の可能性はないと判定される。
【００５５】
次のステップＳＴ１０６では、親２１の顔の向きを検出する。具体的には、第１の人物２１の顔領域から公知の手法を用いて顔特徴量を抽出し、抽出された顔特徴量に基づき、予め用意した統計的または非統計的識別器を用いて顔の向きを検出する。なお、顔領域の検出は、統計的または非統計的識別器を用いる手法やテンプレートマッチングを用いる手法等の公知の手法を用いて行う。
【００５６】
ステップＳＴ１０７では、親２１の顔の向きが子供２２から逸れているか否かを判定する。具体的には、まず、ステップＳＴ１０６で検出された親２１の顔の向きに基づき、予め定められた角度αの視界範囲２３を設定する。次に、子供２２が、親２１の視界範囲２３内に存在するか否かを判定する。そして、子供２２が親２１の視界範囲２３内に存在しないと判定され、かつ、それが予め定められた時間（例えば１０秒〜６０秒）を超えた場合に、親２１の顔の向きが子供２２から逸れていると判定する。親２１の顔の向きが子供２２から逸れている場合、すなわち、親２１の注意が子供２２から逸れている場合は、子供２２は迷子であると判定することができる。親２１の顔の向き（注意）が子供２２から逸れていると判定された場合（ステップＳＴ１０７：Ｙｅｓ）は、ステップＳＴ１０８に進み、親２１の顔の向き（注意）が子供２２から逸れていないと判定された場合（ステップＳＴ１０７：Ｎｏ）は、処理を終了する。
【００５７】
図６は、ステップＳＴ１０７での親の顔の向きの判定処理の一例を示す図である。この図６は図５（ａ）に対応する図であり、子供２２が迷子の可能性がある場合を示す。図６（ａ）では、子供２２は、親２１の視界範囲２３内に存在しないので、親２１の顔の向き（注意）が子供２２から逸れている、すなわち子供２２は迷子であると判定される。図６（ｂ）では、子供２２は、親２１の視界範囲２３内に存在するので、親２１の顔の向き（注意）が子供２２から逸れていない、すなわち子供２２は迷子ではないと判定される。
【００５８】
そして、ステップＳＴ１０８では、迷子が検出されたことを報知するアラームを発報する。具体的には、迷子検出装置３の表示部１５（図２参照）に、例えば「迷子検出」の文字等の警報情報を表示することによって、迷子検出のアラームを発報する。すなわち、本実施形態では、表示部１５はアラーム発報部としての役割を果たす。なお、警報情報の表示による発報とともに警報音声を出力するようにしてもよい。また、警報ブザーや警報ランプ等の図示しない発報装置を使用して、迷子検出のアラームを発報するようにしてもよい。
【００５９】
このように、上述した迷子検出処理によれば、子供２２が親２１から離れている場合において、親２１の顔の向きに基づき子供２２が迷子であるか否かを判定するので、親２１が子供２２を離れた距離から見守っている場合における迷子の誤検出を防ぐことができる。
【００６０】
なお、本実施形態では、親が１人で、子供が１人の場合について説明したが、親または親に相当する保護者は複数であってもよい。例えば、親が２人で、子供が１人の場合であってもよい。この場合は、複数の親（または保護者）の全員の顔の向きが子供から逸れた場合に、迷子検出のアラームを発報するようにするとよい。
【００６１】
また、本実施形態では、見守り者・見守り対象者は親子としたが、見守り者・見守り対象者は、親子に限定されるものではなく、例えば、幼稚園や小学校の先生と児童であってもよい。また、旅行や行楽等での、引率者と被引率者であってもよい。また、飼い主とペットなど、見守り対象者が人物以外であってもよい。
【００６２】
また、本実施形態では、子供２２が親２１の視界範囲２３内に存在しないと判定され、かつ、それが予め定められた時間を超えた場合に、親２１の顔の向きが子供２２から逸れていると判定していたが、これに限られるものではない。迷子を即座に検知したい場合などには、子供２２が親２１の視界範囲２３内に存在しないと判定されれば、すぐに親２１の顔の向きが子供２２から逸れていると判定してもよい。予め定められた時間を超えるまで親２１の顔の向きが子供２２から逸れていると判定しないように制御するか否か、および、この時間をどの程度の長さにするかは、迷子の早期発見と誤検出の頻度のバランスを考慮して本実施形態を適用する状況に応じて適宜選択してよい。
【００６３】
また、本実施の形態では、見守り者と見守り対象者の間の距離を撮像画像に基づいて検出していたが、距離を検出する手順は撮像画像に基づくものには限られない。例えば、見守り者と見守り対象者にＧＰＳ等の測位機能、および、迷子検出装置３との通信機能を備えた端末を所持させ、それによって距離を計測するものとしてもよい。
【００６４】
また、本実施形態では、迷子検出装置３が自ら警報表示あるいは警報を発報するものとしたが、これに限られるものではない。例えば、迷子検出装置から、親２１が所持する端末等に対して警報表示あるいは警報の発報を無線通信等で指示してもよい。また、迷子検出装置３から施設内を巡回する警備員あるいはロボットなどに対して、親２１に警告を行うよう指示するなどとしてもよい。すなわち、迷子が検出された場合に、少なくとも親２１にその旨が伝わればよく、警報の形式は問わない。
【００６５】
また、本実施形態では、親２１の顔の向きから視界範囲を推定していたが、これに限られるものではない。高解像度カメラが使用されている場合など、親２１の黒目の位置を追跡できるようであれば、それに基づいて視界範囲を推定してもよい。また、監視カメラから離れている親２１の視界範囲は顔の向きから推定し、監視カメラに近い親２１の視界範囲は黒目の位置から推定するなど、複数の手段を併用してもよい。
【００６６】
また、本実施形態では、人物の輪郭から年層を推定していたが、これに限られるものではない。例えば、人物の顔のしわや色などから年層を推定してもよい。これらの他にも、人物の画像のテクスチャの特徴量を抽出し、抽出された特徴量に基づいて年層を推定する手法は様々なものが知られているが、どの手法によって年層を推定してもよい。すなわち、本実施の形態においては、撮像された人物の年層が推定できればよいのであり、輪郭を用いた推定手法は一例に過ぎない。
【００６７】
また、本実施形態では、人物が所定数のフレームの間、近い距離にいる場合に親子であると判定したが、親子判定の手法は、これに限るものではない。何らかの手段で親子であることが判断できれば十分であり、その手法は問わない。例えば、親と子それぞれに対応する発信機を持たせることなどが考えられる。
【００６８】
また、本実施形態では、親２１の顔の向きが子供２２から逸れていない場合（すなわち、親２１の視界範囲内に子供２２が存在する場合）に子供２２は迷子ではないと判定したが、他の条件を追加してもよい。例えば、図７（ａ）に示すように、親２１と子供２２の間に壁などの障害物２４が存在する場合や、図７（ｂ）に示すように、親２１が他の人物２５と会話をしている場合は、たとえ親２１の顔の向きが子供２２から逸れていなくとも、親２１が子供２２を視認できなかったり、親２１の注意が子供２２から逸れていたりする可能性がある。このような場合、たとえ親２１の顔の向きが子供２２から逸れていなくても子供２２が迷子であると判定するようにしてもよい。ここで、障害物２４の有無は、例えば、監視カメラの映像を複数フレーム解析し、動きのない領域を検知することなどで得られる。また、親２１が他の人物２５と会話しているか否かは、例えば、親２１の顔の向きと他の人物２５の顔の向きが対向しているか否かを確認することで判定できる。
【００６９】
また、図７（ａ）および図７（ｂ）に示したような親２１の顔の向きが子供２２に向いているが親２１が子供２２を視認できなかったり注意が逸れていたりする可能性がある場合と、図６（ａ）に示したような親２１の顔の向きが子供２２から逸れている場合とで、警告の強度を変えてもよい。すなわち、親２１の顔の向きが子供２２から逸れている場合の方が、親２１の注意が子供２２から逸れている可能性が高いため、より強い警告を発するようにしてもよい。警告の強度の変え方としては、同一の種類の警告の強度を変える（例えば、発報装置から発する音量や振動の量や頻度を変える）ようにしてもよいし、警告の種類自体を変えるようにしてもよい。警告の種類自体を変える場合は、例えば、強度の低い警告は、親２１のみに対して発し、強度の強い警告は、館内放送や一斉配信などにより親２１以外の第三者に対しても発するようにするとよい。
【００７０】
また、本実施形態では、親２１と子供２２との間の距離が閾値Ｄｔｈ２以上離れており、かつ、親２１の視界範囲内に子供２２がいない場合に、迷子である可能性があると判定したが、閾値を１つに限る必要はない。例えば、親２１の視界範囲内に子供２２がいない場合に、親２１と子供２２の距離が離れていくにつれて段階的に警告の強度を強めていくなどとしてもよい。
【００７１】
以上、本開示を特定の実施形態に基づいて説明したが、これらの実施形態はあくまでも例示であって、本開示はこれらの実施形態によって限定されるものではない。また、上記実施形態に示した本開示に係る迷子検出装置および迷子検出方法の各構成要素は、必ずしも全てが必須ではなく、少なくとも本開示の範囲を逸脱しない限りにおいて適宜取捨選択することが可能である。
【産業上の利用可能性】
【００７２】
本開示に係る迷子検出装置および迷子検出方法は、見守り者が見守り対象者を離れた距離から見守っている場合における迷子の誤判定を防ぐことを可能にする迷子検出装置および迷子検出方法等として有用である。
【符号の説明】
【００７３】
１    迷子検出システム
２    カメラ
３    迷子検出装置
４    ネットワーク
１１  プロセッサ
１２  ＲＡＭ
１３  ＲＯＭ
１４  記憶部
１５  表示部（アラーム発報部）
１６  入力部
１７  通信部
２１  親（見守り者）
２２  子（見守り対象者）
２３  視界範囲
【図１】
2018151834.tif 000003
【図２】
2018151834.tif 000004
【図３】
2018151834.tif 000005
【図４】
2018151834.tif 000006
【図５】
2018151834.tif 000007
【図６】
2018151834.tif 000008
【図７】
2018151834.tif 000009